(57)【要約】      （修正有）【課題】吸液構造体に不規則で大きなシワが発生することに起因して発生する問題を防止することができる吸収性物品を提供する。【解決手段】吸液構造体１４の横方向Ｘの両外側において伸長状態で縦方向Ｙへ延びるように設けられたレッグ弾性体９と、吸液構造体１４の少なくとも横方向Ｘの中央部に伸長状態で縦方向Ｙへ延びるように設けられた吸液弾性体１とを備える。吸液弾性体１は横方向Ｘにおいてレッグ弾性体９に離間して配置してあり、吸液弾性体１およびレッグ弾性体９によって弾性域３を画定する。縦方向Ｙにおける吸液構造体１４において、弾性域３の後ウエスト域１２の側には、レッグ弾性体９および吸液弾性体１を配置しない非弾性領域５を設けてある。【選択図】図２
2014079292.tif 000002
【特許請求の範囲】
【請求項１】
縦方向および横方向を有し、前ウエスト域と、後ウエスト域と、前記前ウエスト域および前記後ウエスト域の間に位置するクロッチ域と、前記クロッチ域から前記前ウエスト域および前記後ウエスト域へ延びる吸液構造体とを有するおむつ本体を備え、着用前において、前記前ウエスト域、前記クロッチ域、および前記後ウエスト域を前記縦方向へ並べた開放状態である使い捨て吸収性物品であって、
前記吸液構造体の前記横方向の両外側において伸長状態で前記縦方向へ延びるように設けられたレッグ弾性体と、前記吸液構造体の少なくとも前記横方向の中央部に伸長状態で前記縦方向へ延びるように設けられた吸液弾性体とを備え、
前記吸液弾性体は前記横方向において前記レッグ弾性体に離間して配置してあり、前記吸液弾性体および前記レッグ弾性体によって弾性域を画定し、
前記縦方向における前記吸液構造体において、前記弾性域の前記後ウエスト域の側には、前記レッグ弾性体および前記吸液弾性体を配置しない非弾性領域を設けたことを特徴とする前記吸収性物品。
【請求項２】
前記横方向の寸法を二等分する縦軸と、前記縦方向の寸法を二等分する横軸とを有し、
前記レッグ弾性体は、前記縦軸に離間する一対の第１レッグ弾性体と、前記縦軸に近接する一対の第２レッグ弾性体とを備え、
前記吸液弾性体は前記横方向において前記第１レッグ弾性体に離間して配置してあり、前記吸液弾性体および前記第１レッグ弾性体によって弾性域を画定する請求項１に記載の吸収性物品。
【請求項３】
前記横方向の寸法を二等分する縦軸と、前記縦方向の寸法を二等分する横軸とを有し、
前記レッグ弾性体は、前記縦軸に離間する一対の第１レッグ弾性体と、前記縦軸に近接する一対の第２レッグ弾性体とを備え、
前記吸液弾性体は前記横方向において前記第２レッグ弾性体に離間して配置してあり、前記吸液弾性体および前記第２レッグ弾性体によって弾性域を画定する請求項１に記載の吸収性物品。
【請求項４】
前記横方向の寸法を二等分する縦軸と、前記縦方向の寸法を二等分する横軸とを有し、
前記レッグ弾性体は、前記縦軸に離間する一対の第１レッグ弾性体と、前記縦軸に近接する一対の第２レッグ弾性体とを備え、
前記吸液弾性体は前記横方向において前記第１レッグ弾性体および第２レッグ弾性体にそれぞれ離間して配置してあり、前記吸液弾性体、前記第１レッグ弾性体、および第２レッグ弾性体によって弾性域を画定する請求項１に記載の吸収性物品。
【請求項５】
前記吸液構造体は、肌対向面および非肌対向面を有し、透液性の身体側ライナおよび吸液層とを備え、
前記吸液層は、前記肌対向面側に位置する透液性の第１シートと、前記非肌対向面側に位置し、透液性または不透液性の第２シートと、前記第１シートおよび前記第２シートの間に介在された吸収性ポリマー粒子とを含み、前記身体側ライナと前記第１シートとの間には前記吸液弾性体を設けてあり、
前記身体側ライナと前記第１シートとは、前記縦方向へ延び、かつ前記横方向において互いに所与寸法離間する複数の接合部を介して接合され、
前記吸液弾性体が収縮することによって前記身体側ライナに横方向へ延びる複数の凹凸条が形成される請求項１〜４のいずれかに記載の吸収性物品。
【請求項６】
前記吸液層は、前記第１シートの非肌対向面に固定された吸収性ポリマー粒子をさらに含み、
前記吸液弾性体が収縮することによって身体側ライナ及び第１シートに前記横方向へ延びる複数の凹凸条が形成され、前記第１シートと前記第２シートとの間に体液保持部が画定される請求項５に記載の吸収性物品。
【請求項７】
前記レッグ弾性体は、一対の第１レッグ弾性体のみを備え、
前記吸液弾性体は前記横方向において前記第１レッグ弾性体に離間して配置してあり、前記吸液弾性体および前記第１レッグ弾性体によって弾性域を画定する請求項１に記載の吸収性物品。
【請求項８】
前記吸液構造体は、肌対向面と非肌対向面とを有し、吸液層を備え、
前記吸液層は、前記肌対向面側に位置する透液性の第１シートと、前記非肌対向面側に位置し、透液性または不透液性の第２シートと、前記第１シートと前記第２シートとの間に介在された吸収性ポリマー粒子とを含み、
前記吸液構造体の前記肌対向面側には身体側ライナを設け、
前記身体側ライナと前記第１シートとの間には前記吸液弾性体を設けてあり、
前記身体側ライナと前記第１シートとは、前記縦方向へ延び、かつ前記横方向において互いに所与寸法離間する複数の接合部を介して接合され、
前記吸液弾性体が収縮することによって前記身体側ライナに横方向へ延びる複数の凹凸条が形成される請求項７に記載の吸収性物品。
【請求項９】
前記吸液層は、前記第１シートと前記第２シートとが互いに接合された非吸収域と、前記被吸液域に囲まれ、前記吸収性ポリマー粒子が被包された複数の吸液域をさらに含む請求項１〜８のいずれかに記載の吸収性物品。
【請求項１０】
前記吸液構造体において、前記弾性域における前記縦方向の前ウエスト側には、前記第１レッグ弾性体および前記吸液弾性体を配置しない第２非弾性領域を設けてある請求項１〜９のいずれかに記載の吸収性物品。
【請求項１１】
前記吸液弾性体の前記縦方向への収縮力が、前記第１レッグ弾性体の前記縦方向への収縮力よりも小さい請求項１〜１０のいずれかに記載の吸収性物品。
【発明の詳細な説明】
【技術分野】
【０００１】
本発明は、使い捨て吸収性物品に関する。
【背景技術】
【０００２】
従来、使い捨て吸収性物品は公知である。例えば、特許文献１には、縦方向および横方向と、肌対向面および非肌対向面とを有し、前ウエスト域と、後ウエスト域と、前記前ウエスト域および前記後ウエスト域の間に位置するクロッチ域と、前記クロッチ域から前記前ウエスト域および前記後ウエスト域へ延びる吸液構造体と有するおむつ本体を備え、前記前ウエスト域、前記クロッチ域、および前記後ウエスト域を前記縦方向へ並べた開放状態と、前記前ウエスト域と前記後ウエスト域とが対向するパンツ状態とに変化させることができる使い捨て吸収性物品である使い捨ておむつが開示されている。
【先行技術文献】
【特許文献】
【０００３】
【特許文献１】特開２０１２−１１０６９１号公報
【発明の概要】
【発明が解決しようとする課題】
【０００４】
特許文献１に開示のおむつを開放状態において、ベッド等におむつを置き、後クロッチ域に着用者の下半身を置いてから、前ウエスト域と後ウエスト域とを連結して装着するか、若しくは、当初、前ウエスト域と後ウエスト域とを連結してパンツ状態にしてから、パンツ状態のおむつをはいて装着する。
【０００５】
前者のようにおむつを装着する場合、上記おむつの吸液構造体では、後ウエスト域には横方向に収縮する弾性部材（吸収体を横断する伸長状態の複数本の弾性部材）を有するとともに、クロッチ域および前ウエスト域の両側縁部には縦方向に収縮する弾性部材（レッグギャザー用の弾性部材および立体ギャザー用の弾性部材）を有するため、ベッド等におむつを置いた状態では、後ウエスト域および吸液構造体のクロッチ域の中央部に不規則で大きなシワが発生する。後ウエスト域にこのような大きなシワが発生した状態では、着用者の下半身と、吸液構造体との位置合わせが困難になる課題があった。
【０００６】
また、装着の仕方の如何にかかわらずおむつを装着した場合において、後ウエスト域の弾性部材の収縮力と、クロッチ域および前ウエスト域の弾性部材との収縮力とによって、吸液構造体の中央部には不規則で大きなシワが発生する。この不規則で大きなシワによって、吸液構造体の中央部に排泄物が溜まるおそれがある。
【０００７】
そこで、本発明の課題は、吸液構造体に不規則で大きなシワが発生することに起因して発生する問題を防止することができる使い捨て吸収性物品を提供することにある。
【課題を解決するための手段】
【０００８】
本発明は、縦方向および横方向を有し、前ウエスト域と、後ウエスト域と、前記前ウエスト域および前記後ウエスト域の間に位置するクロッチ域と、前記クロッチ域から前記前ウエスト域および前記後ウエスト域へ延びる吸液構造体とを有するおむつ本体を備え、着用前において、前記前ウエスト域、前記クロッチ域、および前記後ウエスト域を前記縦方向へ並べた開放状態である使い捨て吸収性物品であって、前記吸液構造体の前記横方向の両外側において伸長状態で前記縦方向へ延びるように設けられたレッグ弾性体と、前記吸液構造体の少なくとも前記横方向の中央部に伸長状態で前記縦方向へ延びるように設けられた吸液弾性体とを備え、前記吸液弾性体は横方向Ｘにおいてレッグ弾性体に離間して配置してあり、前記吸液弾性体および前記レッグ弾性体によって弾性域を画定し、前記縦方向における前記吸液構造体において、前記弾性域の前記後ウエスト域の側には、前記レッグ弾性体および前記吸液弾性体を配置しない非弾性領域を設けたことを特徴とする。
【発明の効果】
【０００９】
本発明に係る使い捨て吸収性物品は、吸液構造体の横方向の両外側において伸長状態で縦方向へ延びるように設けられたレッグ弾性体と、吸液構造体の横方向の中央部に伸長状態で前記縦方向へ延びるように設けられた吸液弾性体とを備え、前記吸液弾性体は横方向Ｘにおいてレッグ弾性体に離間して配置してあり、前記吸液弾性体および前記レッグ弾性体によって弾性域を画定するため、この弾性域において、両側部および中央部に均一なシワを発生させることができ、これにより、吸液構造体の中央部に大きなシワが発生することを防止することができる。よって、吸液構造体の中央部に排泄物が溜まることを防止することができる。しかも、縦方向における吸液構造体において、弾性域の後ウエスト域の側には、レッグ弾性体および中央弾性体を配置しない非弾性領域を設けてあるため、後ウエスト域に大きなシワが発生することを防止することができる。よって、着用者の下半身と、吸液構造体との位置合わせが困難になることもない。
【図面の簡単な説明】
【００１０】
【図１】本発明の第１実施形態における使い捨て吸収性物品の一例である使い捨ておむつの斜視図。
【図２】第１ファスニング手段及び第２ファスニング手段を解除しておむつを展開し、肌対向面から見た展開平面図。
【図３】おむつの分解斜視図。
【図４】おむつの展開状態において、弾性ウエストベルトを非肌対向面から見た図。
【図５】おむつが備えるベースシートの平面図。
【図６】おむつが備える吸液構造体の平面図。
【図７】吸液構造体において、身体側ライナを取り除いた、接合部のホットメルト接着剤の塗布パターンを示す吸液層の平面図。
【図８】おむつの着用状態において、一部を破断し、弾性域の肌対向面を示す斜視図。
【図９】図８の矢視ＩＸ−ＩＸにおける断面図。
【図１０】おむつを着用するときの第１ファスニング手段が連結された状態を示す説明図。
【図１１】おむつを着用するときの第２ファスニング手段を連結するときの状態を示す説明図。
【図１２】第２実施形態におけるおむつの展開平面図。
【図１３】第３実施形態におけるおむつの展開平面図。
【図１４】第３実施形態におけるおむつの弾性ウエストベルトのみを実線で示した展開平面図。
【図１５】第４実施形態におけるおむつの展開平面図。
【図１６】第４実施形態における、吸液層の一部破断平面図。
【図１７】縦軸と平行な断面であって、吸液構造体の肌対向面を模式的に示す断面図。
【図１８】体液を吸収した後の図１７と同様の模式的断面図である。
【図１９】第５実施形態におけるおむつのベースシートの平面図。
【図２０】第６実施形態におけるおむつのベースシートの平面図。
【発明を実施するための形態】
【００１１】
＜第１実施形態＞
図１〜図３を参照すると、本実施形態に係る開放型の使い捨ておむつ１０は、縦方向Ｙとそれに直交する横方向Ｘと、横方向Ｘの寸法を二等分する縦軸Ｐ及び縦方向Ｙの寸法を二等分する横軸Ｑとを有する。おむつ１０は、肌対向面及び非肌対向面と、前ウエスト域１１と、後ウエスト域１２と、少なくともクロッチ域１３の肌対向面に取り付けられた吸液構造体１４とを有する吸収シャーシ１５と、後ウエスト域１２において、吸収シャーシ１５と交差して横方向Ｘへ延びる弾性ウエストベルト１６とを含む。かかるおむつ１０の着用状態において、弾性ウエストベルト１６の両側縁部どうしは、第１ファスニング手段１７を介して連結され、前ウエスト域１１を画定する吸収シャーシ１５の前端部５１が第２ファスニング手段１８を介して弾性ウエストベルト１６の外面に連結されることによって、ウエスト開口１９ａと一対のレッグ開口１９ｂとが画定される。
【００１２】
図２に示すように、おむつ１０は、装着前においては、前ウエスト域１１、クロッチ域１３、および後ウエスト域１２を縦方向Ｙに順次並べた開放状態にある。弾性ウエストベルト１６は、横方向Ｘへ直状に延び、縦方向Ｙにおいて互いに対向する外端縁１６ａおよび内端縁１６ｂと、横方向Ｘにおいて互いに対向する一対の側縁１６ｃ，１６ｄ（一方の側縁１６ｃは、横方向Ｘの外側へ凸状を有する一方、他方の側縁１６ｄは、直状を有する）とによって画定された横長矩形状である。弾性ウエストベルト１６は、その中央部の内面が吸収シャーシ１５に連結された弾性パネル２０と、弾性パネル２０の一方側部に取り付けられた係止フラップ２２と、他方側部に取り付けられた被係止フラップ２４とを有する。弾性ウエストベルト１６は、吸収シャーシ１５に連結された中央部２５と、吸収シャーシ１５の後端部５２の両側縁１５ｃ，１５ｄから横方向Ｘの外側に延びるベルト部２６とに区分される。係止フラップ２２の肌対向面にはファスナ部２７が位置し、被係止フラップ２４の非肌対向面は、ファスナ部２７が係脱可能に止着される第１受止部２８が配置される。ファスナ部２７と第１受止部２８とは、弾性ウエストベルト１６の両側縁部を互いに連結するための第１ファスニング手段１７を構成する。
【００１３】
図３を参照すると、弾性パネル２０は、肌対向面側に位置する第１シート３１と、非肌対向面側に位置する第２シート３２とを有し、第１シート３１および第２シート３２は、それらの対向面のいずれか一方に塗布されたホットメルト接着剤を介して互いに固定される。第１シート３１及び第２シート３２間には、横方向Ｘに延びる複数条のウエスト弾性体３３が配置されており、弾性パネル２０は少なくとも横方向Ｘに伸縮可能に弾性化される。弾性パネル２０は、図２および図３に示すように、吸収シャーシ１５の後端部５２と交差し、かつ、その両側縁１５ｃ，１５ｄから横方向Ｘの外側に連続して延びる第１弾性域４１と、第１弾性域４１の横方向Ｘの両側に隣接して位置するサイド非弾性域（非弾性域）４０と、サイド非弾性域４０と両側縁１６ｃ，１６ｄとの間に位置する第２弾性域４２とを有する。また、第１弾性域４１の中央部において、吸収シャーシ１５内の吸液構造体１４の後端部５２と交差する部位には、後ウエスト弾性体３３が配置されておらず、中央非弾性域４３が画定される。中央非弾性域４３よりも縦方向Ｙの外側にはウエスト弾性体３３が配設されており、後中央弾性域４４が形成される。
【００１４】
本実施形態において、両ベルト部２６において、第１弾性域４１と第２弾性域４２とが横方向Ｘにおいて離間し、それらの間にサイド非弾性域４０が位置しているが、後記の効果を奏する限りにおいて、少なくとも一方のベルト部２６においてかかる構成を有し、図示省略するが、他方のベルト部２６の全域にはサイド非弾性域が形成されていなくてもよい。また、本実施形態と異なり、縦軸Ｐの近傍にもウエスト弾性体３３を設けてから、中央非弾性域４３を形成するために縦軸Ｐの近傍のウエスト弾性体３３を切断又は除去した後、ウエスト弾性体３３を切断又は除去した部位に、ウエスト弾性体３３とは別体の弾性体を有する第１シート３１及び第２シート３２とは別体のシート部材を配置することによって、後中央弾性域４４を形成することができる。この場合には、配置する弾性体の太さや伸長倍率等を調整することによって、後中央弾性域４４による収縮力を第１弾性域４１及び第２弾性域４２のそれよりも高くして、弾性ウエストベルトを着用者の背中によりフィットさせることもできる。
【００１５】
第１弾性域４１及び第２弾性域４２は、ストリング状又はストランド状の弾性体を配置するほかに、第１シート３１及び第２シート３２の間に伸縮性シートを配置して形成してもよいし、弾性パネル２０全体を伸縮性シートから形成してもよい。本発明において、「非弾性域」とは、ストリング状、ストランド状又はシート状の弾性材料からなるウエスト弾性体３３の弾性力が発現されない領域であって、ウエスト弾性体３３の実質的に弾性を有する部分（伸縮機能部分）が配設されていない領域を意味するものである。したがって、非弾性域において、スナップバック（弾性部材のうちシートに固着されていない非固着部分が、自らの収縮によりシートに固着されている接合端部近傍まで戻ること）した部分が延在していたとしても、弾性パネル２０に非弾性域を形成したことによる後記の効果を生じ得るものといえる。また、非弾性域を画定する方法としては、スナップバックのほかに、非弾性域においてウエスト弾性体３３を固定し、第１シート３１及び第２シート３２とともにその弾性力が発現してない程度に複数切断してもよい。
【００１６】
第１シート３１及び第２シート３２は、例えば、質量約１０〜２０ｇ／ｍ２の不透液性のＳＭＳ（スパンボンド・メルトブローン・スパンボンド）繊維不織布若しくはスパンボンド不織布から形成することができる。ウエスト弾性体３３は、太さ約３００〜１２００ｄｔｅｘ、伸長倍率約１．５〜３．５倍、縦方向Ｙにおける離間寸法（ピッチ）約５〜１５ｍｍの複数条のストランド状又はストリング状の弾性材料から形成することができる。
【００１７】
係止フラップ２２は、弾性パネル２０から横方向Ｘの外側へ凸となる略台形状を有し、例えば、質量約２０〜６０ｇ／ｍ２の非伸縮性の繊維不織布又はプラスチックシートからなる２枚のシート４６，４７を互いに重ね合わせて形成される（図３参照）。係止フラップ２２を形成するシート４６の内側部は、第１シート３１の一方側縁の肌対向面に接合され、シート４７の内側部は、第２シート３２の一方側縁の非肌対向面に接合されており、両シート間４６，４７間に弾性パネル２０の側縁が介在された状態で両シート４６，４７はホットメルト接着剤や熱溶着手段等の公知の接合手段を介して接合される。係止フラップ２２は、第１シート３１及び第２シート３２よりも高剛性のシート材料から形成されており、係止フラップ２２は弾性パネル２０よりも高い剛性を有する。したがって、ファスナ部２７の平面性が確保され、着用操作中にファスナ部２７が変形して被係止フラップ２４との止着強度が低下するおそれはない。
【００１８】
被係止フラップ２４は、弾性パネル２０から横方向Ｘへ延びる矩形状を有し、例えば、質量約２０〜６０ｇ／ｍ２の非伸縮性の繊維不織布又はプラスチックシートから形成された２枚のシート４８，４９から形成される。被係止フラップ２４を形成するシート４８の内側部は、第１シート３１の他方側縁の肌対向面に接合され、シート４９の内側部は、第２シート３２の他方側縁の非肌対向面に接合されており、両シート４８，４９間に弾性パネル２０の側縁が介在された状態で、両シート４６，４７はホットメルト接着剤や熱溶着手段等の公知の接合手段を介して接合される。被係止フラップ２４は、係止フラップ２２と同様に、第１シート３１及び第２シート３２よりも高剛性のシート材料から形成されており、被係止フラップ２４は、弾性パネル２０よりも高い剛性を有する。したがって、被係止フラップ２４に位置する第１受止部２８の平面性が維持されるので、着用操作中に第１受止部２８が変形してファスナ部２７との止着面積が減少して、それらの止着強度が低下するおそれはない。
【００１９】
吸収シャーシ１５は、図３および図４に示すように、横方向Ｘへ直状に延びる前端縁１５ａ及び後端縁１５ｂと、前端縁１５ａおよび後端縁１５ｂの間において縦方向Ｙに延び、その中央部が縦軸Ｐに近接するように凹曲する両側縁１５ｃ，１５ｄとによって画定された縦長矩形状を有する。吸収シャーシ１５は、さらに、その外形を形成するベースシート５０（図５参照）と、ベースシート５０に取り付けた吸液構造体１４とを有する。吸収シャーシ１５は、前ウエスト域１１を形成する前端部５１と、後ウエスト域１２に位置する後端部５２と、前端部５１及び後端部５２の間に位置し、クロッチ域１３を形成する中間部５３とを有する。
【００２０】
ベースシート５０は、難透液性の繊維不織布シート、プラスチックフィルム又はそれらのラミネートシートから形成された第１ベースシート５０ａ及び第２ベースシート５０ｂによって形成されている。第１ベースシート５０ａ及び第２ベースシート５０ｂは、両シート５０ａ，５０ｂのうちいずれか一方のシート５０ａ，５０ｂの対向面に塗布されたホットメルト接着剤（図示せず）を介して互いに接合されている。
【００２１】
ベースシート５０の肌対向面には、ホットメルト接着剤を塗布して形成し、吸液構造体１４を固定するための接合域５４を形成してある。接合域５４は、矩形の枠状であって、縦方向Ｙにおいて互いに対向して横方向Ｘへ延びる両端部５４Ａと、両端部５４Ａ間において縦方向Ｙへ延びる一対のサイド部５４Ｂとを有する。また、接合域５４に囲まれた内方領域には、非接合域５４Ｃが画定されている。したがって、吸液構造体１４の縦方向Ｙの中央部は、非接合域５４Ｃによってベースシート５０に固定されていないため、吸液構造体１４の吸液弾性体１の収縮力の影響が、ベースシート５０に作用することを抑えることができる。なお、図示されているとおり、接合域５４は、吸液構造体１４の外周縁から内方へ僅かに離間しているが、吸液構造体１４をより確実に固定するために、その外形がほぼ吸液構造体１４の外周縁と同一であってもよい。また、その接合域５４は、その一部に間隔を設けてあってもよい。
【００２２】
ベースシート５０は、図３に示すように、横方向Ｘにおいて、吸液構造体１４が配置された主体部５６と、その横方向Ｘの両外側に位置する両側部５７とを有し、両側部５７は縦軸Ｐに近接するように内方へ向かって折り曲げられてその一部を主体部５６に固定してある。具体的には、両側部５７は、ホットメルト接着剤を塗布した接合域を介して主体部５６に固定された前固定端部６０及び後固定端部６１と、前固定端部６０及び後固定端部６１の間において折曲部（吸収シャーシ１５の両側縁１５ｃ，１５ｄ）に沿って縦方向Ｙに連続して延びる固定側部６３とを有する。固定側部６３において、吸液構造体１４の横方向Ｘの両外側には、伸長状態で縦方向Ｙへ延びるように設けられた第１レッグ弾性体６２を設けてある。第１レッグ弾性体６２は、複数条のストリング状又はストランド状の弾性体であって、凹曲状の両側縁（レッグ開口１９ｂの縁）１５ｃ，１５ｄに沿って配置してある。
【００２３】
ベースシート５０は、図５に示すように、両側部５７と主体部５６とを接合するための接合域５８が不連続的に縦方向Ｙに延びており、前固定端部６０および後固定端部６１と固定側部６３とは縦方向Ｙにおいて所与寸法離間している。また、第１レッグ弾性体６２は、大きくカーブするように配設されており、固定側部６３の一部が第１レッグ弾性体６２を切断することなく外方へ凹曲するように第１ベースシート５０ａおよび第２ベースシート５０ｂをカットしてある。固定側部６３の第１ベースシート５０ａおよび第２ベースシート５０ｂが凹曲状にカットされていることによって、固定側部６３の外側縁間における横方向Ｘの寸法は小さくなり、着用者がレッグ開口に脚を通すときに固定側部６３が引っ掛かるのを防止することができ、かつ、大腿部へのフィット感を向上させることができる。また、固定側部６３とともに第１レッグ弾性体６２が切断されていないので、第１レッグ弾性体６２の切断部位が着用者の大腿部に触れて刺激を与えたり、その一部が外部へ抜け出たりするおそれはない。
【００２４】
また、両側部５７は、その内側縁が折り返されることによって形成されたスリーブ状の遠位縁部６４を有し、該遠位縁部６４には、縦方向Ｙに直状に延びる複数条のストリング状又はストランド状の第２レッグ弾性体６５が伸縮可能に固定される。遠位縁部６４において縦軸Ｐに近接する部位は、縦方向Ｙにおける前固定端部６０と後固定端部６１との間の主体部５６と両側部５７とを接合しておらず、遠位縁部６４は、おむつ１０の着用状態において、第２レッグ弾性体６５の収縮作用によって主体部５６の肌対向面から離間し、排泄物の横漏れを防止するための一対のバリアカフが形成される。第１レッグ弾性体６２と第２レッグ弾性体６５とは、例えば、太さ４７０〜９４０ｄｔｅｘ、伸長倍率が約１．５〜２．８倍の弾性材料から形成することができる。
【００２５】
第１レッグ弾性体６２が配設されることによって、レッグ開口１９ｂの縁部が着用者の大腿部にフィットし、かつ、第２レッグ弾性体６５によってバリアカフが鼠径部にフィットするので、排泄物の横漏れを確実に防止することができる。また、おむつ１０をパンツ形態のまま引き上げるとき、若しくは引き下げするときに、レッグ開口１９ｂの縁部がみだりに折れ曲がったりよれたりするおそれはない。また、吸収シャーシ１５の中間部５３が凹曲状を有することによって、おむつ１０を引き上げるときに、中間部５３が着用者の大腿部の内側に引っ掛かってその一部が破れたりするおそれはない。
【００２６】
このおむつ１０は、一対の第１レッグ弾性体６２および一対の第２レッグ弾性体６５を有するレッグ弾性体９を備える。第１レッグ弾性体６２は、縦軸Ｐに離間するよう配置してあり、第２レッグ弾性体６５は、縦軸Ｐに近接するよう配置してある。換言すれば、前記吸液弾性体は横方向Ｘにおいて第１レッグ弾性体６２および第２レッグ弾性体６５にそれぞれ離間して配置してあり、吸液弾性体１、第１レッグ弾性体６２、および第２レッグ弾性体６５によって弾性域３を画定している。この例では、第１レッグ弾性体６２の縦方向Ｙの位置と、吸液弾性体１の縦方向Ｙの位置は同一である。
【００２７】
図５は、ベースシートを示す平面図であり、図６は、吸液構造体１４の平面図であり、図７は、吸液構造体１４から身体側ライナ６９を取り除き、吸液構造体１４と身体側ライナ６９とを接合するホットメルト接着剤の塗布パターンを示す吸液層６６の平面図である。
【００２８】
吸液構造体１４は、図５〜７に示すように、接合域５４において、ホットメルト接着剤を介してベースシート５０の主体部５６の肌対向面に固定されており、吸液層６６と、透液性シートから形成された吸液層６６の少なくとも肌対向面側を被覆する身体側ライナ６９とを有する。身体側ライナ６９と吸液層６６との間には、縦方向Ｙへ延びるストリング状又はスドランド状の複数条の吸液弾性体１を設けてあり、吸液弾性体１の収縮力によって、吸液構造体１４の肌対向面には、横方向Ｘへ延びる複数の凹凸条２が形成されている（図８および図９参照）。凹凸条２は、縦方向Ｙにおいて交互に位置する凸部２ａと凹部２ｂとによって形成されている。
【００２９】
図６に示すように、吸液弾性体１は、吸液構造体１４に伸長状態で縦方向Ｙへ延びるように設けてあり、横方向Ｘにおいて所与寸法離間して配置してある。具体的には、横方向Ｘにおいて隣り合う吸液弾性体１どうしの離間寸法Ｒ（吸液弾性体１の中心部間どうしの距離）は約５〜４０ｍｍ、好ましくは、約１０〜２５ｍｍである。吸液弾性体１は、約１．１〜２．４倍、好ましくは１．２５〜１．８倍に縦方向Ｙへ伸張させられた状態で例えば身体側ライナ６９の非肌対向面に取り付けてある。
【００３０】
図２に示すように、吸収シャーシ１５は、縦方向Ｙにおいて、吸液弾性体１は、少なくとも第１レッグ弾性体６２および第２レッグ弾性体６５と重なる位置にあり、吸液弾性体１と第１レッグ弾性体６２および第２レッグ弾性体６５とが縦方向Ｙで重なる位置において弾性域３を画定する。吸収シャーシ１５は、弾性域３に対して横軸Ｑに離間するように、縦方向Ｙにおいて、第１レッグ弾性体６２、第２レッグ弾性体６５、および吸液弾性体１を配置しない第１非弾性域（非弾性域）５及び第２非弾性域４を画定してある。
【００３１】
なお、図示省略するが、第１レッグ弾性体６２および吸液弾性体１のみで弾性域を画定するとともに、第１非弾性域、および第２非弾性域を画定してもよいし、第２レッグ弾性体６５および吸液弾性体１のみで弾性域を画定するとともに、第１非弾性域、および第２非弾性域を画定してもよい。
【００３２】
弾性域３は、この例では、クロッチ域１３において、前ウエスト域１１側に近接し、後ウエスト域１２側に離間するように偏倚する態様で配置してある。第２非弾性域４は、前ウエスト域１１において縦方向Ｙへ延びるように形成してある。第１非弾性域５は、後ウエスト域１２において縦方向Ｙへ延びるように形成してある。
【００３３】
なお、これら弾性域３、第１非弾性域５、および第２非弾性域４の長さ寸法は一例であって、必要に応じて、弾性域３を縦方向Ｙへ適宜伸長若しくは短縮し、それに応じて第１非弾性域５および第２非弾性域４を適宜伸長もしくは短縮してもよい。
【００３４】
身体側ライナ６９は、好ましくは親水化処理された、質量約１５〜３５ｇ／ｍ２の透液性を有する繊維不織布であって、例えば、スパンボンド繊維不織布、ポイントボンド繊維不織布及びエアスルー繊維不織布等の各種公知の繊維不織布から形成することができる。
【００３５】
図７に示すように、身体側ライナ６９は、ホットメルト接着剤を縦方向Ｙへスパイラル状に連続して塗布することによって形成された縦方向Ｙへ延びる接合部７６を横方向Ｘへ複数設けることによって吸液層６６の肌対向面に接合してある。接合部７６は、吸液層６６の肌対向面のほぼ全域に形成してある。また、横方向Ｘにおいて隣り合う接合部７６どうしの間には、吸液弾性体１を配置してある。吸液弾性体１は、その周囲に塗布されたホットメルト接着剤（図示せず）を介して少なくとも身体側ライナ６９に固定してある。
【００３６】
吸液構造体１４の肌対向面に形成される凹凸条２は、接合部７６どうしの横方向Ｘにおける離間部位７６ａと、縦方向Ｙへ連続するホットメルト接着剤のスパイラル状の塗布パターンにおける接合部７６と接合部７６との間に位置する非接合部７６ｂと、吸液弾性体１の収縮力とによって、複数の小さなシワが形成され、それらが横方向Ｘへ延びることによって形成されていると考えられる。従って、凹凸条２を形成する凸部２ａと凹部２ｂとは断続的である。後記の効果を生じ得る所要の大きさの凹凸条２を形成するためには、横方向Ｘにおける接合部７６どうしの離間寸法Ｒ２は約５〜２０ｍｍであることが好ましく、縦方向Ｙにおける接合部７６どうしの離間寸法Ｒ３は約３〜２５ｍｍであることが好ましい。
【００３７】
吸液層６６は、肌対向面側に位置する透液性の第１シート６６ａと、非肌対向面側に位置する透液性または不透液性の第２シート６６ｂとを有する。吸液層６６は、さらに、第１シート６６ａと第２シート６６ｂとの間に介在し、不水溶性かつ自己質量の１０倍以上の吸水力を有するいわゆる吸収性ポリマー粒子（ＳＡＰ）、木材フラッフパルプ、オプションとして熱可塑性繊維を僅かに含む混合物から形成された吸収性コア８（図９参照）を備える。吸液構造体１４の非肌対向面には、その外形寸法よりも大きい不透液性シートから形成された防漏シート６７が配置される（図２，３，９参照）。
【００３８】
吸収シャーシ１５は、前ウエスト域１１において、前端縁１１ａに沿って横方向Ｘに延び、バリアカフの前端部どうしを結ぶように配置される連結パネル６８を有する（図３参照）。連結パネル６８は、肌対向面側に位置する内面シート７０と、非肌対向面側に位置する外面シート７１と、それらの間に伸縮可能に取り付けられた弾性体７２とを有する。連結パネル６８は、弾性体７２が配設された前中央弾性域７３と、前中央弾性域７３の横方向Ｘの両側に位置する、非弾性の両側部と、両側部の肌対向面側に配置された一対の第２ファスナ部７４とを有する。
【００３９】
図４に示すように、弾性ウエストベルト１６の被係止フラップ２４の非肌対向面には、係止フラップ２２の第１ファスナ部２７が係脱可能に止着される第１受止部２８が位置し、サイド非弾性域４０の非肌対向面側には、それぞれ、連結パネル６８の第２ファスナ部７４が係脱可能に止着される第２受止部７５が配置される。第２ファスナ部７４と第２受止部７５とは、吸収シャーシ１５の前端部５１を弾性ウエストベルト１６に連結するための第２ファスニング手段１８を構成する。
【００４０】
第１ファスナ部２７及び第２ファスナ部７４は、プラスチックフィルム、繊維不織布、それらのラミネート等の比較的に剛性及び引張強度の高いシート材料から形成され、メカニカルファスナのフック群を有する。また、第１ファスナ部２７及び第２ファスナ部７４は、それらが係止される被係止フラップ２４とベルト部２６との外面がプラスチックフィルムによって形成されている場合等において、フック要素群に替えて接着剤を塗布して形成することもでき、その場合には、ファスナ部を保護するために、その表面にシリコンを塗布したセパレータで被覆してもよい。
【００４１】
第１受止部２８及び第２受止部７５は、プラスチックフィルム等の比較的に剛性及び引張強度の高いシート材料から形成された基材シートと、基材シートの表面に配置されたメカニカルファスナのループ要素とから形成される。ただし、基材シートが繊維不織布から形成される場合には機械的なループ要素を有していなくてもよいし、第１ファスナ部２７及び第２ファスナ部７４がフック要素を有する場合には、被係止フラップ２４の外面を形成するシート４９とベルト部２６の外面を形成する第２シート３２とを繊維不織布から形成し、該シートに直接的に第１ファスナ部２７及び第２ファスナ部７４を止着することもできる。
【００４２】
図１０に示すように、おむつ１０を着用するときには、まず、着用者が立位又は臥位の状態において、背中側に弾性ウエストベルト１６の肌対向面を当てがい、着用者若しくは着用補助者が弾性ウエストベルト１６の両方のベルト部２６を把持し、それらを着用者の背中側から腹側に向かってウエスト周りに巻き付けるように引っ張って、係止フラップ２２の肌対向面が被係止フラップ２４の非肌対向面と当接するようにそれらを互いに重ね合わせ、第１ファスナ部２７を第２受止部７５に止着する。次に、図１１に示すとおり、吸収シャーシ１５の前端部（前ウエスト域１１）５１を把持して大腿部間から前ウエスト域１１を（前方又は後方へ）引っ張り、吸収シャーシ１５の前端部５１の肌対向面を着用者のウエスト周りを締め付けるように取り付けられた弾性ウエストベルト１６と当接するように着用者の腹側に向かって折り曲げる。かかる状態において、前端部５１の肌対向面側に位置する第２ファスナ部７４をそれと対向して位置する第２受止部７５に止着することによって、おむつ１０はパンツ型の形態を呈する。
【００４３】
本実施形態に係る開放型のおむつ１０によれば、吸液構造体１４の横方向Ｘの両外側に伸長状態で縦方向Ｙへ延びるように設けられた第１レッグ弾性体６２および第２レッグ弾性体６５と、吸液構造体１４の少なくとも横方向Ｘの中央部に伸長状態で縦方向Ｙへ延びるように設けられた吸液弾性体１とを備え、吸液弾性体１は少なくとも縦方向Ｙにおいて第１レッグ弾性体６２および第２レッグ弾性体６５と重なる位置にあり、吸液弾性体１と第１レッグ弾性体６２と第２レッグ弾性体６５とが縦方向Ｙに重なる位置で弾性域３を画定するため、縦方向Ｙにおける弾性体１，６２，６５の位置を集中させることによって、この弾性域３では、両側部および中央部に均一なシワを発生させることができ、これにより、吸液構造体１４の中央部に大きなシワが発生することを防止することができる。よって、吸液構造体１４の中央部に排泄物が溜まることを防止することができる。しかも、縦方向Ｙにおける吸液構造体１４において、弾性域３の後ウエスト域１２の側には、第１レッグ弾性体６２、第２レッグ弾性体６５および吸液弾性体１を配置しない第１非弾性域５を設けてあるため、後ウエスト域１２に大きなシワが発生することを防止することができる。よって、着用者の下半身と、吸液構造体１４との位置合わせが困難になることもない。
【００４４】
なお、第１レッグ弾性体６２および吸液弾性体１のみで弾性域を画定した場合、第２レッグ弾性体６５および吸液弾性体１のみで弾性域を画定した場合のいずれでも、弾性体の位置を集中させ、同様の効果を奏することができる。
【００４５】
加えて、吸液構造体１４は、肌対向面側に位置する透液性の身体側ライナ６９と吸液層６６とを有する。吸液層６６は、透液性の第１シート６６ａと、透液性又は難透液性の第２シート６６ｂと、第１シート６６ａ及び第２シート６６ｂとの間に介在され、吸収性ポリマー粒子とを含む吸収性コア８を有し、身体側ライナ６９と第１シート６６ａとの間には吸液弾性体１を設けてあり、身体側ライナ６９と第１シート６６ａとは、縦方向Ｙへ延び、かつ横方向において互いに所与寸法離間する複数の接合部７６を介して接合され、吸液弾性体１が収縮することによって身体側ライナ６９の肌対向面に横方向Ｘへ延びる複数の凹凸条２が形成されるため、吸液構造体１４の肌対向面に、横方向Ｘへ延びる複数の小さいシワを発生させ、不規則で大きなシワが発生するのを確実に抑えることができる。
【００４６】
また、本実施形態に係る開放型の使い捨ておむつ１０の場合には、第１ファスニング手段１７の締結によって弾性ウエストベルト１６を着用者のウエスト周りに巻き付け、その後に吸収シャーシ１５の前端部５１をベルト部２６の外面に取り付けることができるので、着用者が立位状態であっても着用操作を容易に行うことができる。また、例えば、着用者が便座で排泄する場合において、パンツ形態を有するおむつ１０をそのままの状態でズボン等の衣服とともに足元に引き下げることができるとともに、排泄後、便座に座った状態から立ち上がったときに足元に引き下げられた状態にあるおむつ１０を衣服とともに引き上げて着用することができるので、排泄操作をスムーズに行うことができる。特に着用者が高齢者の場合には、パンツ型おむつと異なり、レッグ開口１９ｂに脚を通すことなく立位／臥位の状態で着用操作を行うことができる一方、このように、排泄時等においておむつ１０をパンツ形態のまま衣服とともに上げ下げすることができるので、高齢者による自力での排泄を促すことができる。すなわち、自力で立ちあがることのできる高齢者は、排泄時におけるおむつ１０を外すことの煩わしさから解放されることによって、着用補助者や介助者の付き添いがなくても夜間に一人でトイレで排泄をしたり、日中に排泄に対する不安を抱くことなく外出したりすることができ、よりアクティブに日常生活を送ることができる。また、介助を受けることによって立ちあがることのできる高齢者の場合には、排泄時に着用補助者がズボン等の衣服とともにおむつ１０を上げ下げすることができるので、排泄時において完全に身体から取り外される通常の開放型のおむつに比べて陰部が露出する時間が短くなり、陰部が露出することによる恥ずかしさが軽減される。
【００４７】
おむつ１０の交換時や排泄時において、パンツ形態のまま簡易に引き上げ／引き下げ操作を行うためには、弾性ウエストベルト１６が広範囲に着用者のウエスト周りにフィットしうる程度の弾性（伸縮）域を有することが好ましい。各ベルト部２６において、その横方向Ｘにおける全体寸法Ｌ２に対して弾性域（第１弾性域４１および第２弾性域４２）全体の横方向Ｘにおける寸法が約５０％以上であって、好ましくは、第１弾性域４１の横方向Ｘにおける寸法が全体寸法Ｌ２に対して約３０〜８０％，第２弾性域４２の横方向Ｘにおける寸法が全体寸法Ｌ２に対して約５〜５５％の大きさであることが好ましい。かかる比率が５０％以上の場合には、図１０に示すように、立位状態の着用者に弾性ウエストベルト１６をベルト状に巻き付けたときにずり下がることがないとともに、ウエスト開口縁部を伸長させて拡げることができるので、排泄時におけるおむつ１０の引き上げ／引き下げ操作が容易になる。
【００４８】
弾性ウエストベルト１６に十分な大きさの弾性域が形成される一方、第１弾性域４１及び第２弾性域４２との間にサイド非弾性域４０を設けることによって、第２ファスニング手段１８の締結力の低下が防止される。すなわち、第２受止部７５において第２ファスナ部７４が安定的に止着されるためには、第２ファスナ部７４のフック要素と第２受止部７５のループ要素とが係合する面積を十分に確保できる程度に第２受止部７５自体が平面性を保持することが必要であるところ、第２受止部７５が第１弾性域４１又は第２弾性域４２に位置し、その伸縮とともに変形してその表面に凹部と凸部とが発生する場合には、該凹部においてループ要素がフック要素に係合されず、第２ファスナ部７４と第２受止部７５との止着強度が低下するおそれがある。本実施形態においては、サイド非弾性域４０に第２受止部７５が位置することによって、第１弾性域４１及び第２弾性域４２の収縮によって第２受止部７５が変形することなく、平面性が保持されるので、第２ファスニング手段１８は所要の締結力を発揮することができる。
【００４９】
また、一般的な（メカニカル）ファスニング手段において、ターゲット領域（受止部）の面積がフック材（ファスナ部）のそれよりも大きく形成されるところ、図６を参照すると、本実施形態においては、第２ファスナ部７４の横方向Ｘにおける寸法Ｗ１は、第２受止部７５の横方向Ｘにおける寸法Ｗ２よりも大きい。したがって、第２ファスナ部７４を第２受止部７５に止着したときに、第２ファスナ部７４の一部が第２受止部７５と重ならないが、かかる止着態様であっても、おむつ１０の引き上げ／引き下げ操作をし得る程度の十分な止着強度を発揮することができる。このように、弾性ウエストベルト１６において弾性域の範囲を十分に確保しつつ、第２受止部７５の大きさを必要十分な大きさに設定することによって、おむつ１０の優れた操作性と十分な止着強度とを両立させることができる。
【００５０】
また、前ウエスト域１１において前中央弾性域７３が位置することによって、着用者若しくは着用補助者は、おむつ１０の着用時において、前ウエスト域１１の両側を両手で掴み、前ウエスト域１１全体に皺が寄らないように前中央弾性域７３を横方向Ｘに伸長させながら、吸収シャーシ１５の前端部を弾性ウエストベルト１６の非肌対向面に重ねる合わせることによって、弾性ウエストベルト１６の伸縮に連動して前ウエスト域１１を伸縮させることができ、着用者のウエスト周り全体に仮想の弾性体が形成される。これにより、前ウエスト域１１は着用者の身体の動きに合わせて伸縮されるので、前ウエスト域１１の表面に外観を損ねるような皺が生じたり、前ウエスト域１１と着用者の身体との間に排泄物の漏れ原因となる隙間が形成されることはない。
【００５１】
吸液弾性体１の縦方向Ｙの収縮力が、第１レッグ弾性体６２の縦方向Ｙの収縮よりも小さい。第１レッグ弾性体６２は、その近傍で着用者の肌への密着性を高めて外部に排泄物が漏れることを防止することを目的とするものであり、第１レッグ弾性体６２の収縮力よりも吸液弾性体１の収縮力が大きいと、第１レッグ弾性体６２による着用者の肌への密着性が低下し、それにより、外部へ排泄物が漏れるおそれがあるためである。
【００５２】
＜第２実施形態＞
図１２は、本発明に係る使い捨ておむつ１０の第２実施形態を示す、図２と同様の展開図である。この吸液構造体１４は、上述した身体側ライナ６９を備えず、吸液層６６を有する。
【００５３】
このおむつ１０の吸収シャーシ１５は、吸液構造体１４の肌対向面側に位置するトップシート（身体側ライナ）１６６ａと、透液性または不透液性であって吸液構造体１４の非肌対向面側に位置するバックシート１６６ｂとを備えている。
【００５４】
このおむつ１０の吸収シャーシ１５では、トップシート１６６ａおよびバックシート１６６ｂは、砂時計型の主体部１５６のみを形成し、かつトップシート１６６ａとバックシート１６６ｂとの間に第２レッグ弾性体６５を有していない。
【００５５】
トップシート１６６ａと第１シート６６ａとの間には、吸液弾性体１を設けてあり、トップシート１６６ａと第１シート６６ａとは、縦方向Ｙへ延び、かつ横方向Ｘにおいて互いに所与寸法離間する複数の接合部１７６を介して接合してある。接合部１７６は、接合する一方のシートがトップシート１６６ａである事項のみが上記接合部７６と異なり、他の事項に関しては同一である。
【００５６】
この第２実施形態に係るおむつ１０も、第１実施形態に係るおむつ１０と同様の作用・効果を奏する。
【００５７】
＜第３実施形態＞
図１３および図１４に示すように、本実施形態に係る弾性ウエストベルト１６は、その中央部が横軸Ｑに近接するように凸となる形状を有し、着用状態において着用者の臀部を被覆する臀部カバー部８０を有する。
【００５８】
臀部カバー部８０は、第１シート３１及び第２シート３２と、それらの間に伸縮可能に固定された複数条のストリング状又はストランド状の弾性材料から形成された臀部弾性体８１と、臀部弾性体８１が配設された臀部弾性域８２とを有する。臀部弾性体８１は、吸液構造体１４の両側において縦軸Ｐに対して斜めに交差するように延びている。臀部カバー部８０は、臀部弾性体８１によって弾性化されることによって、着用者の臀部にフィットして、背面視において下着のような外観を呈することができる。また、吸収シャーシ１５の後端部５２と後ウエスト域１２側の中間部５３の一部とは、臀部カバー部８０にホットメルト接着剤を塗布した接合域（図示せず）を介して接合される。それにより、吸収シャーシ１５の両側部５７が臀部カバー部８０と連動して伸縮するので、おむつ１０の着用状態において、吸収シャーシ１５全体が後方に引き上げられ、着用者の身体の動きに合わせてよりフィットさせることができる。
【００５９】
図１４に示すように、臀部カバー部８０の中央部には、臀部弾性体８１が配置されておらず、弾性ウエストベルト１６の中央部には、後中央弾性域４４、第１弾性域４１及び臀部弾性域８２に囲まれた中央非弾性域８５が位置する。中央非弾性域８５が形成されていることによって、弾性ウエストベルト１６と交差する吸液構造体１４の後端部にウエスト弾性体３３及び臀部弾性体８１の収縮が直接作用することはなく、該後端部が変形したり皺が形成されたりして、その吸収性能が低下するおそれはない。本実施形態のほかに、臀部弾性体８１を用いずに、ウエスト弾性体３３の一部を縦軸Ｐに対して傾斜するように内方へ延出させることによって、臀部カバー部８０に弾性を付与してもよいし、臀部カバー部８０を中央部２５とベルト部２６とは別体のパネルから形成してもよい。
【００６０】
＜第４実施形態＞
図１５〜図１８に示すように、本実施形態においては、吸液構造体１４の吸液層６６は、主として吸収性ポリマー粒子から形成された吸収性コアと、肌対向面側に位置する質量約８．０〜１５．０ｇ／ｍ２、好ましくは、質量約１０．０ｇ／ｍ２の透液性の繊維不織布から形成された第１シート（透液性シート）９１と、非肌対向面側に位置する質量約８．０〜１５．０ｇ／ｍ２、好ましくは、１１．０ｇ／ｍ２の透水性または難透水性のＳＭＳ繊維不織布から形成された第２シート９２とを含む。
【００６１】
吸液層６６は、さらに、吸収性コアが配置された、縦方向Ｙへ所与寸法離間する略矩形状に画定された吸液域９３と、吸収性コアが実質的に配置されていない、吸液域を取り囲むように形成された非吸液域（シール部）９４とを有する。なお、本実施形態において、吸液域９３は、１０個の区域に区分されているが、吸液構造体１４の要する吸収性能に応じてその面積、区域数を適宜変更することができ、例えば、１０以上の区域に区分されていてもよいし、吸液構造体１４の全体に延びる１つの区域のみから形成されていてもよい。
【００６２】
吸液域９３では、第１シート９１の内面には、ホットメルト接着剤９６を介して質量約３０〜３００ｇ／ｍ２、好ましくは、質量約４０〜２８０ｇ／ｍ２の吸収性ポリマー粒子６がほぼ一様に固定されている。また、吸液域９３には、第１シート９１に固定されておらず、かつ第２シート９２に固定されていない吸収性ポリマー粒子が存在し、第２シート９２上に位置する。
【００６３】
吸収性ポリマー粒子６には、吸液層６６全体の吸収速度を調整するために、例えば、吸収速度の異なる２種類のものを併用することができる。また、後記の本発明の効果を奏する限りにおいて、吸収性コアには、吸収性ポリマー粒子６のみならずフラッフパルプやオプションとして熱可塑性繊維などの公知の材料を比較的に低い混合率でその一部に含むものであってもよい。具体的には、フラッフパルプ等の吸水性繊維を混合する場合は、吸収性コア全体に対して約０〜３０質量％の割合で混合されていることが好ましい。ホットメルト接着剤９６には、各種公知のものを使用することができるが、体液の吸収後であって、吸収性ポリマー粒子６が第１シート９１から剥離しないようにするために、疎水性を有する接着剤を使用することが好ましい。
【００６４】
このように、吸液層６６の吸収性コアは、吸収性ポリマー粒子６とそれを被包するシート部材のみから形成されているので、吸液構造体１４は、吸収性コアが吸収性ポリマー粒子６とフラッフパルプとの混合物から形成されている場合に比して薄くなる。したがって、おむつ１０の着用中に着用者が前屈みの状態になっても前ウエスト域１１がごわつくことはなく、着用者の身体の動きに応じて
柔軟に変形するので、着用感に優れる。
【００６５】
吸液域９３では、第１シート９１と第２シート９２とが部分的に固定されているか又はそれらが互いに固定されていないことが好ましい。また、吸液域９３において第１シート９１及び第２シート９２がホットメルト接着剤の接合部７６で互いに部分的に固定されている場合には、吸液層６６内に移行した体液が吸収性ポリマー粒子６に吸収されてそれが膨潤することによって、両シート９１，９２どうしの固定が解かれるようにしてもよい。一方、非吸液域９４では、すなわち、吸液域９３間の離間部位及び吸液層６６の外周縁沿い全域においては、ホットメルト接着剤を介して第１シート９１及び第２シート９２が互いに接合されている。なお、吸液域９３においては、吸収性ポリマー粒子６を第１シート９１の内面に固定するためにホットメルト接着剤は比較的に疎に塗布されており、非吸液域９４においては、比較的に密に塗布されている。すなわち、吸液域９３においては体液の透過を阻害しない程度にホットメルト接着剤が塗布されており、一方、非吸液域９４においては、吸液域９３が体液を吸収して膨らんだとしても、その固定が容易に解かれない程度にホットメルト接着剤が密に塗布されている。
【００６６】
このように、吸液層６６の吸収性コア８は、７０質量％以上の吸水性ポリマー粒子を含むことから、それが吸収性ポリマー粒子６とフラッフパルプとがほぼ同じ割合で混合された混合物からなる場合に比して吸液層６６全体は薄く、吸液構造体１４は弾性パネル２０の動きに対する順応性に優れている。また、第１シート９１及び第２シート９２が非吸液域９４において安定的に固定されていることによって所要の剥離強度を有するとともに、第１シート９１及び第２シート９２の内面全体が固定されている場合に比して高い可撓性を有するものといえる。さらに、吸液域９３において吸収性ポリマー粒子６が第１シート９１に一様に固定されていることから、着用者の動作及び姿勢のいかんにかかわらず、その分布に偏りを生じることはない。なお、非吸液域９４は、吸液域９３から移動可能な吸収性ポリマー粒子６がこぼれ出るのを防止するために吸液域９３の周縁を封止するシール部としての機能を果たしうるが、製造工程において、吸収性ポリマー粒子６の一部が、吸液域９３における吸収性ポリマー粒子６の単位面積当たりの所要質量よりも少ない範囲において、非吸液域９４に配置されることがある。
【００６７】
図１７は、縦軸Ｐに沿う断面であって、吸液構造体１４の肌対向面を模式的に示す断面図、図１８は、体液を吸収した後の図１７と同様の模式的断面図である。
【００６８】
図１７に示すとおり、身体側ライナ６９及びそれに固定側部６３を介して固定された第１シート９１とは、吸液域９３において吸液弾性体１の収縮作用によって起伏しており、凹凸条２の凸部２ａと凹部２ｂとが縦方向Ｙにおいて交互に形成されている。非吸液域９４によって区分された各吸液域９３において、吸収性ポリマー粒子６は第１シート９１の内面に固定されており、かつ、凸部２ａにおいて第１シート９１と身体側ライナ６９とが上方へ凸となることによって、第１シート９１と第２シート９２との離間スペースには体液保持部７が形成される。
【００６９】
既述のとおり、吸液構造体１４は矩形の枠状の接合域５４によってベースシート５０に固定され、その中央部は非接合域５４Ｃと対向し、ベースシート５０に固定されていない。したがって、吸液層６６が比較的に厚さ寸法の小さなものであって、かつ、それ全体が吸液弾性体１の収縮作用によって起伏する形状を有する場合であっても、ベースシート５０がその影響を受けて皺が生じてその外観を損ねるおそれはない。
【００７０】
図１８に示すとおり、吸収性ポリマー粒子６が体液を吸収した後は、それが膨潤することによって、体液保持部７（図１７参照）に吸収性ポリマー粒子６が充填された状態となる。具体的には、各吸液域９３において、体液の透過によって吸収性ポリマー粒子６と第１シート９１との接合面であるホットメルト接着剤が湿潤して接着力が低下し、一部の吸収性ポリマー粒子６が第１シート９１の内面から剥がれて、第２シート９２上に位置している。このように、吸収性ポリマー粒子６が第２シート９２に位置する場合であっても、吸収性ポリマー粒子６は膨潤して凹部２ｂに近接しているので、再び吸液層６６に流れ込んだ体液を速やかに吸収することができる。また、吸収性ポリマー粒子６が飽和状態になるまで体液を吸収した場合にはゲル化してブロックを形成するので、体液保持部７に溜まった吸収性ポリマー粒子６に吸収されなかった体液が着用者の身体側へ逆戻り（リウエット）し難くなる。なお、このような効果を奏するために、吸液域９３に含まれる吸収性ポリマー粒子６の粒径等を調整することが好ましい。
【００７１】
＜第５実施形態＞
図１９は、第５実施形態のおむつ１０の吸液構造体１４のベースシート５０の平面図である。本実施形態においては、カットする固定側部６３の位置と、第１レッグ弾性体６２の凹曲状の始点および終点とが異なるように配置してある。しかも、第１レッグ弾性体６２の後ウエスト域１２側では、接合域５８から第１レッグ弾性体６２の先端部が突出しており、この第１レッグ弾性体６２の先端部は、第１ベースシート５０ａおよび第２ベースシート５０ｂに接合していない。本実施形態においては、固定側部６３ととともに第１レッグ弾性体６２が切断されている。かかる態様においても、第５実施形態と同様に、固定側部６３が凹曲状にカットされていることによって、固定側部６３の外側縁どうしの間における横方向Ｘの寸法は小さくなり、着用者がレッグ開口に脚を通すときに固定側部６３が引っ掛かるのを防止することができ、かつ、大腿部へのフィット感を向上させることができる。
【００７２】
＜第６実施形態＞
図２０は、第６実施形態のおむつ１０の吸液構造体１４のベースシート５０の平面図である。本実施形態においては、接合域５８が横方向Ｘの外側へ向かって凹状を有し、側縁１５ｃと接合域５８との間には、非固定域９８が形成される。第５実施形態および第６実施形態においては、接合域５８の一部がカットされているものであって、たとえ肌当たりを考慮して曲状にカットされたものであったとしても、それが着用者の大腿部の内側に直接触れることによって刺激を与えるおそれがある。本実施形態の場合には、接合域５８の位置する比較的に高剛性を有する部分が直接肌に触れることはないので、より肌当たりを向上させることができる。
【００７３】
なお、上述した実施形態には、吸収シャーシ１５と弾性ウエストベルト１６とを有するおむつ本体と、第１ファスニング手段１７および第２ファスニング手段１８とを有するファスニング手段を有するおむつ１０を例に説明したが、本発明はこれに限られず、ファスニング手段としては、２つのファスニング手段１７，１８によって構成されるものに限られず、公知のものを使用することができる。
【００７４】
おむつ１０を構成する各構成部材には、本明細書に記載されている材料のほかに、この種の物品における通常用いられている各種の公知の材料を制限なく用いることができる。また、本発明の明細書及び特許請求の範囲において、「第１」及び「第２」の用語等は、同様の要素、位置を単に区別するために用いられている。
【００７５】
以上に記載した本発明に関する開示は、少なくとも下記事項に要約することができる。
縦方向および横方向を有し、前ウエスト域と、後ウエスト域と、前記前ウエスト域および前記後ウエスト域の間に位置するクロッチ域と、前記クロッチ域から前記前ウエスト域および前記後ウエスト域へ延びる吸液構造体とを有するおむつ本体を備え、着用前において、前記前ウエスト域、前記クロッチ域、および前記後ウエスト域を前記縦方向へ並べた開放状態である使い捨て吸収性物品であって、前記吸液構造体の前記横方向の両外側において伸長状態で前記縦方向へ延びるように設けられたレッグ弾性体と、前記吸液構造体の少なくとも前記横方向の中央部に伸長状態で前記縦方向へ延びるように設けられた吸液弾性体とを備え、前記吸液弾性体は前記横方向において前記レッグ弾性体に離間して配置してあり、前記吸液弾性体および前記レッグ弾性体によって弾性域を画定し、前記縦方向における前記吸液構造体において、前記弾性域の前記後ウエスト域の側には、前記レッグ弾性体および前記吸液弾性体を配置しない非弾性領域を設けたことを特徴とする。
【００７６】
上記の発明は、少なくとも下記の実施形態を含むことができる。
（１）前記横方向の寸法を二等分する縦軸と、前記縦方向の寸法を二等分する横軸とを有し、前記レッグ弾性体は、前記縦軸に離間する一対の第１レッグ弾性体と、前記縦軸に近接する一対の第２レッグ弾性体とを備え、前記吸液弾性体は少なくとも前記縦方向において前記第１レッグ弾性体と重なる位置にあり、前記吸液弾性体と前記第１レッグ弾性体とが前記縦方向で重なる位置において弾性域を画定する。
（２）前記横方向の寸法を二等分する縦軸と、前記縦方向の寸法を二等分する横軸とを有し、前記レッグ弾性体は、前記縦軸に離間する一対の第１レッグ弾性体と、前記縦軸に近接する一対の第２レッグ弾性体とを備え、前記吸液弾性体は少なくとも前記縦方向において前記第２レッグ弾性体と重なる位置にあり、前記吸液弾性体と前記第２レッグ弾性体とが前記縦方向で重なる位置において弾性域を画定する。
（３）前記横方向の寸法を二等分する縦軸と、前記縦方向の寸法を二等分する横軸とを有し、前記レッグ弾性体は、前記縦軸に離間する一対の第１レッグ弾性体と、前記縦軸に近接する一対の第２レッグ弾性体とを備え、前記吸液弾性体は少なくとも前記縦方向において前記第１レッグ弾性体および前記第２レッグ弾性体と重なる位置にあり、前記吸液弾性体と前記第１レッグ弾性体と前記第２レッグ弾性体とが前記縦方向で重なる位置において弾性域を画定する。
（４）前記吸液構造体は、肌対向面および非肌対向面を有し、透液性の身体側ライナおよび吸液層とを備え、前記吸液層は、前記肌対向面側に位置する透液性の第１シートと、前記非肌対向面側に位置し、透液性または不透液性の第２シートと、前記第１シートおよび前記第２シートの間に介在された吸収性ポリマー粒子とを含み、前記身体側ライナと前記第１シートとの間には前記吸液弾性体を設けてあり、前記身体側ライナと前記第１シートとは、前記縦方向へ延び、かつ前記横方向において互いに所与寸法離間する複数の接合部を介して接合され、前記吸液弾性体が収縮することによって前記身体側ライナに横方向へ延びる複数の凹凸条が形成される。
（５）前記吸液層は、前記第１シートの非肌対向面に固定された吸収性ポリマー粒子をさらに含み、前記吸液弾性体が収縮することによって身体側ライナ及び第１シートに前記横方向へ延びる複数の凹凸条が形成され、前記第１シートと前記第２シートとの間に体液保持部が画定される。
（６）前記レッグ弾性体は、一対の第１レッグ弾性体のみを備え、前記吸液弾性体は少なくとも前記縦方向において前記第１レッグ弾性体と重なる位置にあり、前記吸液弾性体と前記第１レッグ弾性体とが前記縦方向で重なる位置において弾性域を画定する。
（７）前記吸液構造体は、肌対向面と非肌対向面とを有し、吸液層を備え、
前記吸液層は、前記肌対向面側に位置する透液性の第１シートと、前記非肌対向面側に位置し、透液性または不透液性の第２シートと、前記第１シートと前記第２シートとの間に介在された吸収性ポリマー粒子とを含み、前記吸液構造体の前記肌対向面側には身体側ライナを設け、前記身体側ライナと前記第１シートとの間には前記吸液弾性体を設けてあり、前記身体側ライナと前記第１シートとは、前記縦方向へ延び、かつ前記横方向において互いに所与寸法離間する複数の接合部を介して接合され、前記吸液弾性体が収縮することによって前記身体側ライナに横方向へ延びる複数の凹凸条が形成される。
（８）前記吸液層は、前記第１シートと前記第２シートとが互いに接合された非吸収域と、前記被吸液域に囲まれ、前記吸収性ポリマー粒子が被包された複数の吸液域をさらに含む。
（９）前記吸液構造体において、前記弾性域における前記縦方向の前ウエスト側には、前記第１レッグ弾性体および前記吸液弾性体を配置しない第２非弾性領域を設けてある。
（１０）前記吸液弾性体の前記縦方向への収縮力が、前記第１レッグ弾性体の前記縦方向への収縮力よりも小さい。
【符号の説明】
【００７７】
１      吸液弾性体
２      凹凸条
３      弾性域
４      第２非弾性域
５      第１非弾性域（非弾性域）
６      吸収性ポリマー粒子
９      レッグ弾性体
１０    使い捨ておむつ（使い捨て吸収性物品）
１１    前ウエスト域
１２    後ウエスト域
１３    クロッチ域
１４    吸液構造体
１５    吸収シャーシ
６２    第１レッグ弾性体（レッグ弾性体）
６５    第２レッグ弾性体（レッグ弾性体）
６６    吸液層
６６ａ  第１シート
６６ｂ  第２シート
６９    身体側ライナ
７６    接合部
９１    第１シート（透液性シート）
９２    第２シート
９３    吸液域
９４    非吸液域
１６６ａ  トップシート（身体側ライナ）
１６６ｂ  バックシート
Ｐ      縦軸
Ｑ      横軸
Ｘ      横方向
Ｙ      縦方向
【図１】
2014079292.tif 000003
【図２】
2014079292.tif 000004
【図３】
2014079292.tif 000005
【図４】
2014079292.tif 000006
【図５】
2014079292.tif 000007
【図６】
2014079292.tif 000008
【図７】
2014079292.tif 000009
【図８】
2014079292.tif 000010
【図９】
2014079292.tif 000011
【図１０】
2014079292.tif 000012
【図１１】
2014079292.tif 000013
【図１２】
2014079292.tif 000014
【図１３】
2014079292.tif 000015
【図１４】
2014079292.tif 000016
【図１５】
2014079292.tif 000017
【図１６】
2014079292.tif 000018
【図１７】
2014079292.tif 000019
【図１８】
2014079292.tif 000020
【図１９】
2014079292.tif 000021
【図２０】
2014079292.tif 000022